(57)【要約】【課題】  建物の管理の都合上合鍵を持った者にも解錠されると困る事がある。紛失した合鍵で解錠される心配がある。  簡単な手動操作や電気操作でシリンダーの回転のみをブロックして固定し、またブロックを解除できる機構を実現する事が課題である。【解決手段】  シリンダーの内筒を外筒に対して固定し、またはシリンダーの内筒を錠ケースのシリンダー組み付けベースに対して固定する事で、錠のサムターン等他の操作は通常通り行えるシリンダーブロック機構を実現した。手動操作と電気操作の両方でシリンダーのブロック及びブロック解除が可能な錠を実現した。【選択図】図１
2006112176.tif 000002
【特許請求の範囲】
【請求項１】
錠ケース(９)に組み付けたシリンダーの内筒(２)を外筒(１)に対して固定し、内筒の回転をできなくするシリンダーブロック機構。
【請求項２】
錠ケース(９)のシリンダー組み付けベース(１２)に組み付けたシリンダーの内筒(２)を、シリンダー組み付けベースに対して固定し、内筒の回転をできなくする請求項１記載のシリンダーブロック機構。
【請求項３】
手動で操作し、ブロックの係合と解除を行う請求項１、２記載のシリンダーブロック機構。
【請求項４】
電気で操作し、ブロックの係合と解除を行う請求項１、２記載のシリンダーブロック機構。
【発明の詳細な説明】
【技術分野】
【０００１】
シリンダーの内筒を回転できなくする事で、合鍵やピッキングによる施解錠を防止する技術に関する。
【背景技術】
【０００２】
従来の錠で、合鍵やピッキングで錠の施解錠を防止する為には、錠のデットボルト、ダルマ、ロッキングバーのいずれかを固定する事で行っている。
この場合は室内外両側から同様に施解錠ができなくなる。
【０００３】
屋外側のシリンダーのみ一時的に使えなくしたい。屋内側のサムターンでは通常通り施解錠したい。という時に簡単な操作や電気操作で切り替え、目的を達成した後で、また元の状態に復旧できるような錠は見られない。
【０００４】
屋外側の非常解錠装置は通常通り使用でき、屋外側のシリンダーのみ一時的に使えなくしたい場合も同様に目的に合う錠は見られない。
【０００５】
特願２００２−３７６８９７の技術を使えばこれらの問題はほぼ解決できるが、使い方によっては満足できない面もある。
この技術は２個のダルマをギアで連結し、連結の方法を工夫したものである。
【特許文献１】特願２００２−３７６８９７
【発明の開示】
【発明が解決しようとする課題】
【０００６】
屋外側のシリンダーだけ、または屋内側のシリンダーだけ、簡単な手動操作や電気操作によって一時的に使えなくし、また同様の操作で復旧できる錠を作りたい。
また、一時的にシリンダーを使えなくした状態では合鍵でもピッキングでもシリンダーを回せなくしたい。さらにシリンダーが使えなくてもサムターンや非常解錠装置は使えるようにしたい。
そして、シリンダーが使えない状態ではシリンダーの内筒の回転遊びを無くしたい。
【０００７】
以上が実現できれば建物の管理上多くの場面に於いて便利な使い方ができ、防犯や防災に貢献できる錠となる。
シリンダー内筒の回転遊びを無くす事で、カードやテンキー装置と錠を組み合わせて使う場合のピッキングを困難にする事が可能になる。
【課題を解決するための手段】
【０００８】
屋外側のシリンダーのみ、又は屋内側のシリンダーのみを使えなくする事を考えると、シリンダーそのものを使えなくするのが一番有効である。
シリンダーは内筒と外筒から成り、外筒に対して内筒の回転を止める為にシリンダーピンを間に障害として組み込んだものである。
合鍵を差し込むとシリンダーピンが障害とならない位置に移動し、内筒を回す事が可能となる。
ピッキングによる解錠も同様である。
【０００９】
本発明では、シリンダーの内筒を固定する事で合鍵でもピッキングでもシリンダーの操作をできなくするものである。
合鍵は鍵穴に入るが、合鍵を回す事ができなくしたものである。
【００１０】
仕組みを図１に基づいて説明する。
シリンダー外筒(１)に外筒溝(５)を設け、内筒(２)に内筒溝(６)を設ける。
両溝の寸法に合わせたブロッカー(７)を、両溝の奥まで差し込む事でシリンダーの内筒は回す事ができなくなる。これが請求項１記載のシリンダーブロック機構である。
【００１１】
このシリンダーブロック機構を錠ケースに組み付けたものが図２、３、４である。
図２、３では、シリンダー内筒(２)はシリンダー組み付けベース(１２)に対して、ブロッカー(７)によって固定される請求項２記載のシリンダーブロック機構でもある。
【００１２】
手動による操作では、レバー軸(１９)に組み付けた操作レバーを左右に動かすとブロッカー(７)が内筒溝(６)の奥まで突き刺さって係合し、ブロッカーが内筒(２)と外筒(１)、シリンダー組み付けベース(１２)との間でくさびとなり、内筒が回転できなくなる。これが請求項３記載のシリンダーブロック機構である。
【００１３】
電気による操作では、ソレノイド(２２)に電極を変えて通電する事でソレノイド軸(２１)が伸び縮みし、伸びた時にブロッカー(７)が内筒溝(６)の奥まで突き刺さり、ブロッカーが内筒(２)と外筒(１)、シリンダー組み付けベース(１２)との間でくさびとなり、内筒の回転をできなくする。これが請求項４記載のシリンダーブロック機構である。
【００１４】
図２、４がブロッカー(７)が内筒(２)と外筒(１)、シリンダー組み付けベース(１２)との間でくさびとなり、内筒を固定した状態である。図３がブロッカー(７)を内筒(２)から抜き、内筒の回転を妨げない解除した状態である。
【００１５】
室外側のシリンダー内筒を固定しても、室内側のサムターンは正常に操作できる事を図５に基づいて説明する。
シリンダーやサムターンはダルマ(２５)に組み合わせ、合鍵やサムターンを回すとダルマが回り、ダルマがデットボルト(１０)を出し入れする。
【００１６】
このダルマ(２５)の受け穴(３１)の形と、シリンダー内筒先端のテールピース(３)の形の組み合わせについて、ダルマとシリンダー内筒の間には９０度の回転遊びを設けて組み合わせるのが普通である。
シリンダーに合鍵を抜き差しできる位置は一定である為、合鍵は９０度回して施錠した後９０度戻して抜く事となる。解錠する時も同じである。
【００１７】
ダルマの受け穴(３１)の形とサムターンの軸先(２８)の形の組み合わせは、回転の遊びが無く組み合わせるのが普通である。その為にサムターン軸の外側端に設けたサムターンツマミの向きは施錠と解錠では９０度違う向きとなる。
【００１８】
シリンダーの内筒を固定しても、サムターンを正常に操作できるのはダルマとシリンダーの内筒先端のテールピースの組み合わせに９０度の回転遊びが有る為である。
図５Aが解錠状態である。サムターンで施錠した時はダルマ(２５)が回ってもテールピース(３)は動かず、図５B状態となる。
【００１９】
図５Aの状態から合鍵で操作し、テールピース(３)を９０度左に回すとダルマ(２５)が回り、デットボルト(１０)を突き出す。合鍵は９０度戻して抜く為に施錠後合鍵を抜いた時のテールピースは図５Bの状態となる。
【００２０】
この事からシリンダーの内筒を固定しても、固定したシリンダー以外の錠機能に変化は無く、サムターンや非常解錠装置は正常に操作する事ができる。
【発明の効果】
【００２１】
建物では外周、通用口、部屋の入口、他で時間を決めて、あるいはその都度合鍵を持った者でも入館や入室を禁止したい時がある。
しかしその場合であっても消防法等の対策の為に、内部から外部へ脱出する為の内部側のサムターンや非常解錠装置は正常に操作できなければならない。
【００２２】
従来はシリンダーそのものを固定、また固定解除するような技術は見られず、合鍵を持った者は常に自由に解錠して入る事が可能であった。
本発明のシリンダーブロック機構により、建物の各扉をその場に合った管理がし易くなる。
【発明を実施するための最良の形態】
【００２３】
ビルや屋上の通用口に使用し、週間タイマーに連動させて使用する。
夜の８時から翌日の６時までと休日はシリンダーをブロックし、合鍵を持つ従業員でも入館を禁止する。平日の他の時間は合鍵を持つ従業員のみが入館でき、合鍵を持たない外部の人は入館できなくする。
シリンダーをブロックしていても、非常時には内部側のサムターンを通常の操作で解錠でき、外部へ脱出できる。また、非常解錠装置を操作して外部へ脱出できる。
【００２４】
住居玄関の鍵として使用する。
合鍵やピッキング等で不法に解錠される可能性がある場合、室内側のレバー操作でシリンダーをブロックし、それを防止する。
【００２５】
カードやテンキーと組み合わせて使用する。
カードや暗証番号が合った時に、１０秒程度電気的にシリンダーのブロックを解除する。
シリンダーのブロック中は内筒の回転角度に遊びが無く、ピッキングが可能なのはその１０秒程度の間だけとなる。合鍵での解錠はその１０秒内に行えば良い。
【００２６】
従来の錠であればカードやテンキーで施錠してあってもシリンダー内筒の回転角度に遊びが生ずる。その遊びを利用してピッキングが可能となる。
まず遊び角度分だけピッキングをして内筒を回しておき、次に盗んだカードや暗証番号を使ってカードやテンキーでの施錠を解除すれば扉を開ける事ができる。
【００２７】
暗室等での作業中、合鍵を持った者にも扉を開けられては困る事がある。その時は室内側からレバーを操作してシリンダーをブロックする。
【００２８】
合鍵を紛失した場合、別のシリンダーに付け替えるまでの間、必要に応じてシリンダーをブロックする。
【００２９】
従来の電気錠等は電気操作と合鍵操作の両方で操作ができ、電気で施錠したものを合鍵で解錠できるのが普通であった。
その為にテンキーやカードと組み合わせて使った場合でも合鍵を持つ者は解錠でき、当然ピッキングによる不正解錠も可能であった。
本発明のシリンダーブロック機構を使えばそれらの問題も解決が可能となる。
【図面の簡単な説明】
【００３０】
【図１】請求項１記載のシリンダーブロック機構を持つシリンダーの内観斜視図である。
【図２】シリンダーブロック機構でシリンダーをブロックした錠ケースの構造を示し、図４のB部分の縦断面を示す。
【図３】シリンダーのブロックを解除した状態を示す。
【図４】図２のA部分の水平断面を示す。
【図５】Ａ．図４のC部分の縦断面で、解錠状態のダルマとテールピース、サムターン軸先を示す。Ｂ．施錠状態のダルマとテールピース、サムターン軸先を示す。
【符号の説明】
【００３１】
１        外筒
２        内筒
３        テールピース
４        固定ピン受け穴
５        外筒溝
６        内筒溝
７        ブロッカー
８        連結穴
９        錠ケース
１０      デットボルト
１１      ラッチボルト
１２      シリンダー組み付けベース
１３      鍵穴
１４      シリンダー固定ピン
１５      連結ピン
１６      固定軸
１７      ブロッカーシャフト
１８      連結シャフト
１９      レバー軸
２０      クリックバネ
２１      ソレノイド軸
２２      ソレノイド
２３      コード
２４      シリンダー組み付けベース溝
２５      ダルマ
２６      サムターン筒
２７      サムターン軸
２８      サムターン軸先
２９      サムターンツマミ
３０      デットカム
３１      受け穴
３２      ロッキングバー
【図１】
2006112176.tif 000003
【図２】
2006112176.tif 000004
【図３】
2006112176.tif 000005
【図４】
2006112176.tif 000006
【図５】
2006112176.tif 000007